(57)【要約】【課題】吐出孔から出てくる内容物が吐出時に変わった動きを伴い、それにより吐出操作を楽しむことができる吐出部材および吐出製品を提供する。【解決手段】泡体Ｆを吐出する複数の吐出孔２７が開口する上向きの吐出面２２ａと、エアゾール容器１２のステム１３に装着されるステム装着部２１ａと、前記吐出面２２ａから立ち上がる軸棒２４と、エアゾール容器１２のステム１３を吐出操作するための連結部材２６ａと、前記ステム装着部２１ａと吐出孔２７を連通する螺旋状の通路２８とを備えており、前記吐出孔２７が細長い形状を有し、軸棒２４を中心にして複数個、放射状に配列されていると共に、吐出孔２７を構成する開口内周面が吐出方向を制御する一対の制御面を備えている吐出部材１４。その吐出部材１４を備えた吐出製品１０。【選択図】図１
2019210015.tif 000002
【特許請求の範囲】
【請求項１】
吐出孔が開口する上向きの吐出面と、
吐出容器のステムに装着されるステム装着部と、
前記吐出面から立ち上がる軸棒と、
吐出容器のステムを吐出操作するための押部と、
前記ステム装着部と吐出孔を連通する通路とを備えており、
前記吐出孔が細長い形状を有し、軸棒を中心にして複数個、放射状に配列されていると共に、吐出孔を構成する開口内周面が吐出方向を制御する一対の側面を備えている
吐出部材。
【請求項２】
前記複数の吐出孔のそれぞれ一対の側面が、吐出面に対して同一方向に傾斜しており、それにより吐出された内容物が軸棒を中心として螺旋状に上昇する請求項１記載の吐出部材。
【請求項３】
前記ステムに装着され、ステム装着部と複数の吐出孔とを連通する分岐通路を有する通路部材を備えている請求項１または２記載の吐出部材。
【請求項４】
前記通路が、ステム装着部と連通し軸方向に延びる中央通路を備えており、中央通路の側面に軸方向に延びる側面開口が形成され、側面開口と吐出孔とが分岐通路を介して連通している請求項１記載の吐出部材。
【請求項５】
分岐通路が螺旋状である、請求項３または４記載の吐出部材。
【請求項６】
前記軸棒の下端が吐出面に対し着脱自在に装着されている請求項１〜５のいずれかに記載の吐出部材。
【請求項７】
前記軸棒が押部を兼ねており、軸棒の上端を押し下げることによりステムを吐出操作することができる請求項１〜６のいずれかに記載の吐出部材。
【請求項８】
前記軸棒の下部にブラシ毛が植設されている請求項６記載の吐出部材。
【請求項９】
請求項１〜８のいずれかに記載の吐出部材と、その吐出部材のステム装着部に装着される発泡性の内容物ないしクリーム状の内容物を充填した吐出容器とからなる吐出製品。
【請求項１０】
前記吐出容器および吐出部材を収容し、支持するスタンドをさらに備えている請求項９記載の吐出製品。
【発明の詳細な説明】
【技術分野】
【０００１】
本発明は吐出部材および吐出製品に関し、さらに詳しくは、泡ないしクリーム状の内容物を吐出する吐出製品に好ましく用いられる吐出部材およびその吐出部材を用いた吐出製品に関する。
【背景技術】
【０００２】
特許文献１には、エアゾール容器から吐出された発泡性の吐出物が各別に通過する複数の成形孔およびこれらの成形孔が開口する造形面を有し、複数の成形孔を通過して成形された花弁状の造形片を、前記造形面上で組み合わせて花冠状の造形物を形成する造形ヘッドが開示されている。
【０００３】
この造形ヘッドによれば、成形孔から上方に吐出された複数の花弁状の造形片により、造形面上でバラの花のような形状の発泡体を形成することができる。
【先行技術文献】
【特許文献】
【０００４】
【特許文献１】特開２０１６−２６９６２号公報
【発明の開示】
【発明が解決しようとする課題】
【０００５】
特許文献１の造形ヘッドは、造形面上にバラの花のような発泡体を形成することができるが、成形時に成形孔から出てくる泡の動きは軸方向に上昇するだけであり、興趣に欠ける。本発明は吐出孔から出てくる発泡体などの内容物が螺旋状に上昇するなど、吐出時に変わった動きを伴い、それにより吐出操作を楽しむことができる吐出部材を提供することを技術課題とする。さらに本発明はその吐出部材を用い、吐出物の動きがおもしろい吐出製品を提供することを技術課題としている。
【課題を解決するための手段】
【０００６】
本発明の吐出部材１４は、吐出孔２７が開口する上向きの吐出面２２ａと、吐出容器（エアゾール容器１２）のステム１３に装着されるステム装着部２１ａと、前記吐出面２２ａから立ち上がる軸棒２４と、吐出容器１２のステム１３を吐出操作するための押部（カバー２６、結合部材２６ａ、軸棒２４）と、前記ステム装着部２１ａと吐出孔２７を連通する通路（２８、２９）とを備えており、前記吐出孔２７が細長い形状を有し、軸棒２４を中心にして複数個、放射状に配列されていると共に、吐出孔２７を構成する開口内周面が吐出方向を制御する一対の側面（上面２７ｃ、下面２７ｄ）を備えていることを特徴としている。軸棒２４は吐出面２２ａに自立できず、使用時に手で支えるものを含む。
【０００７】
このような吐出部材１４では、前記複数の吐出孔２７のそれぞれ一対の側面（上面２７ｃ、下面２７ｄ）が、吐出面２２ａに対して同一方向に傾斜しており、それにより吐出された内容物（泡体Ｆ）が軸棒２４を中心として螺旋状に上昇するものが一層好ましい。また、ステム１３に装着され、ステム装着部２１ａと複数の吐出孔２７とを連通する分岐通路（通路２８）を有する通路部材（コア２１）を備えているものが好ましい。
【０００８】
前記通路（２８、２９）が、ステム装着部２１ａと連通し軸方向に延びる中央通路２９を備えており、中央通路２９の側面に軸方向に延びる側面開口３０が形成され、側面開口３０と吐出孔２７とが分岐通路２８を介して連通しているものが好ましい。さらに前記分岐通路２８が螺旋状であるものが好ましい。
【０００９】
前記いずれの吐出部材１４においても、前記軸棒２４の下端が吐出面２２ａに対し着脱自在に装着されているものが好ましい。また、前記軸棒２４が押部を兼ねており、軸棒２４の上端を押し下げることによりステム１３を吐出操作することができるものが好ましい。軸棒２４が着脱自在（手で支えるものを含む）である場合は、軸棒２４の下部にブラシ毛４３が植設されていてもよい。
【００１０】
本発明の吐出製品１０は、前記いずれかの吐出部材１４と、その吐出部材１４のステム装着部２１ａに装着される発泡性の内容物ないしクリーム状の内容物を充填した吐出容器１２とからなる。このような吐出製品１０は、吐出容器１２および吐出部材１４を収容し、支持するスタンド１１をさらに備えているのが好ましい。
【発明の効果】
【００１１】
本発明の吐出部材は、押部を吐出操作すると、細長い形状を有し、軸棒を中心にして複数個、放射状に配列されている吐出孔から出てきたひも状ないしテープ状の内容物が吐出面の上に堆積するが、そのとき、吐出孔の近辺の軸棒に接触して付着していく。そのため、使用者は使用のたびに軸棒の周囲に絡みついて吐出されていく状況を目視することができる。さらに吐出孔を構成する開口内周面が吐出方向を制御する一対の側面を備えているので、吐出物がその方向に吐出され、特定の形状を呈するように変化する。そのため、使用者は吐出物の動きを楽しむことができ、しかも吐出面の上にできた立体的な造形物を楽しむことができる。また、内容物が発泡性のものであれば、吐出面上中心部から放射状に広がるため、半径方向に大きくなる。そのため、通路の途中に大きい拡散室が不要であり、アフタードローを少なくできる。
【００１２】
このような吐出部材において、複数の吐出孔のそれぞれ一対の側面が、吐出面に対して同一方向に傾斜しており、それにより吐出された内容物が軸棒を中心として螺旋状に上昇するものは、複数の内容物が軸棒に絡みながら軸棒に沿って螺旋状に上昇しソフトクリームのような形状に成形することができる。そのため、内容物の動きを一層楽しむことができる。
【００１３】
また、前記ステム装着部が、ステムに装着され、ステム装着部と複数の吐出孔とを連通する分岐通路を有する通路部材を備えている場合は、ステムから吐出孔までの通路の容積を小さくすることができる。そのため、吐出後に通路内に残る内容物が少なくなる利点がある。前記通路が、ステム装着部と連通し軸方向に延びる中央通路を備えており、中央通路の側面に軸方向に延びる側面開口が形成され、側面開口と吐出孔とが分岐通路を介して連通している場合は、細長い吐出孔から吐出される吐出物の速さを調整しやすく、より立体的な動きにすることができる。たとえば、吐出孔の軸棒に近い部分から吐出させることで吐出物は軸棒に絡みやすく、軸棒の周囲を旋回しながら積み上がり、軸棒にしっかりと付着するため塗布しやすくなる。前記分岐通路が螺旋状である場合は、吐出物に旋回力が加わりやすく、軸棒に絡み付きやすい。
【００１４】
さらに軸棒の下端が吐出面に対し着脱自在に装着されている吐出部材では、吐出後に軸棒を吐出面から外すことにより、吐出物を手に取りやすくなる。また、前記軸棒が押部を兼ねており、軸棒の上端を押し下げることによりステムを吐出操作することができるものは、ステムをまっすぐ下に押し下げる操作ができるので、ステムに横向きの力がかかりにくい。軸棒が着脱自在であり、軸棒の下部にブラシ毛が植設されている場合は、ブラシ毛に吐出物が付着するので、軸棒に安定して吐出物を保持することができ、毛の生え際などに塗布しやすい。
【００１５】
本発明の吐出製品は、前述の吐出部材と、その吐出部材のステム装着部に装着される発泡性の内容物ないしクリーム状の内容物を充填した吐出容器とを備えているので、発泡性の内容物ないしクリーム状の内容物を吐出面の上に軸棒に沿って吐出することができる。それにより、吐出時の動きの面白さを楽しみながら、洗顔剤や芳香剤などの内容物の性質に基づく効果、たとえば手の平に取る、長時間芳香剤を蒸散するなどの効果を発揮する。吐出容器および吐出部材を収容し、支持するスタンドをさらに備えている据え置き型の吐出製品の場合は、テーブルの上などに載置した状態で押部を押すことができ、安定して操作することができ、吐出面から吐出された内容物をすくい取りやすい。
【図面の簡単な説明】
【００１６】
【図１】本発明の吐出製品の一実施形態を示す概略縦断面図である。
【図２】図１の吐出製品の一部切り欠き分解斜視図である。
【図３】図３Ａは図１の吐出製品の平面図、図３Ｂは図３ＡのＢ−Ｂ線断面図、図３Ｃは図３ＡのＣ−Ｃ線断面図である。
【図４】図４Ａおよび図４Ｂは、それぞれ図１の吐出部材の通路の空間を実体化して示す斜視図および側面図である。
【図５】図５Ａは本発明の吐出製品の他の実施形態を示す斜視図、図５Ｂはその要部拡大図である。
【００１７】
図１に示す吐出製品１０は、スタンド１１と、そのスタンド内に収容されるエアゾール容器（吐出容器）１２と、そのエアゾール容器に充填された発泡性の内容物と、エアゾール容器のステム１３に装着される吐出部材１４とからなる。スタンド１１は全体的に上方に向かって細くなる略円筒状の周壁１５と、上下方向の途中に設けられる水平方向の支持壁１６と、支持壁１６の下面から周壁の内面にかけて放射状に配列されるリブ１７とを備えている（図２参照）。リブ１７の内端はエアゾール容器１２の容器本体１８と嵌合する寸法にしている。周壁１５のうち支持壁１６より上側の部分１５ａは、吐出部材１４の上下動をガイドするため、内面が円筒状にされている。スタンド１１はポリブチレンテレフタレートなどのポリエステル、ポリアセタールなどのポリカーボネート、ナイロンなどのポリアミドなどの硬質の合成樹脂の成形品を使用することができる。
【００１８】
エアゾール容器１２は、有底筒状の容器本体１８と、その容器本体１８の上端開口を閉じるエアゾールバルブ１９とからなる。容器本体１８は、底部１８ａ、胴部１８ｂおよび開口部の周囲に形成されたビード１８ｃからなる公知の形態を備えている。この実施形態では容器本体１８はアルミニウムなどの金属製を採用している。しかしＰＥＴボトルなどの合成樹脂製であってもよい。
【００１９】
エアゾールバルブ１９は、マウンティングカップ１９ａと、そのマウンティングカップによって容器本体１８の上端開口に取り付けられるバルブハウジング１９ｂと、そのバルブハウジング内に上下移動自在に収容される前述のステム１３と、ステムのステム孔を開閉するステムラバーと、ステムを上向きに付勢するバネとを備えた公知の構造を備えている。マウンティングカップ１９ａの周縁はビード１８ｃにクリンチされ、その部位はスタンド１１の支持壁１６の開口に嵌合され、固定される。なお、他の構造ないし形態であってもよい。
【００２０】
前述の発泡性を有する内容物は、例えば、洗顔剤、洗浄剤、入浴剤、保湿剤、クレンジング剤、日焼け止め剤、化粧水、シェービング剤、脱毛剤、制汗剤、殺菌消毒剤、害虫忌避剤などのスキンケア剤、トリートメント剤、スタイリング剤、染毛剤などのヘアケア剤などの人体用品、ホイップクリームなどの食品、消臭剤、芳香剤、虫よけ剤、殺菌剤などの家庭用品などである。但し、これらの用途に限られるわけではない。
【００２１】
この発泡性内容物は、前記用途の有効成分を含む原液と、原液を発泡・吐出させる噴射剤とからなる。噴射剤としては、例えばプロパン、ブタン、ペンタンなどの炭素数が３〜５の脂肪族炭化水素、ハイドロフルオロオレフィン、ジメチルエーテルなどの液化ガス、炭酸ガス、窒素などの圧縮ガスなどが挙げられる。なかでも、泡の成形性、保形性に優れ、泡を所望の形状にし易い点から、脂肪酸石鹸などの界面活性剤や、高級アルコール、高級脂肪酸などの固形油分などを原液中に含有したものを用い、さらに噴射剤として液化ガスを用いることが好ましい。
【００２２】
前記吐出部材１４は、略円柱状ないし下部が細い椀状のコア（通路部材）２１と、コアの上端に取り付けられる皿部２２と、コア２１を囲むように皿部の下面に取り付けられるスカート２３と、皿部２２の上面２２ａに取り付けられる軸棒２４とからなる。コア２１、皿部２２およびスカート２３は、別個に形成した後、接合してもよく、一体成形してもよい。コア２１、皿部２２およびスカート２３の下方には、複数枚のリブ２５が設けられている。コア２１の下面にはエアゾール容器１２のステム１３と嵌合するステム装着部２１ａが設けられている。リブ２５は通常は３〜６枚程度であるが、この実施形態では４枚としている。スカート２３の外面は周壁１５の支持壁１６より上側の部分１５ａと摺動してガイド機能を果たすため、円筒状にしている。
【００２３】
図２に示すように、軸棒２４の上端には皿部２２の上面２２ａを覆うカップ状のカバー２６が取り付けられている。カバー２６はポリプロピレン、スチレンブタジエン共重合体などの透明または半透明の合成樹脂から形成するのが好ましく、それにより泡体が形成されていく様子を容易に観察することができ、得られる泡体Ｆを保護しうる。軸棒２４とカバー２６は一体に結合されており、皿部２２及びコア２１に対して着脱自在とされている。カバー２６あるいは軸棒２４とカバー２６を結合する結合部材２６ａは、エアゾールバルブ（図１の符号１９）を操作するための押部として利用できる。
【００２４】
さらにこの実施形態では、結合部材２６ａの上部にカバー２６を着脱するときに用いる摘み２６ｂが設けられている。皿部２２の中心部には軸棒２４の下端と着脱自在に嵌合する穴２２ｂが形成されている。ただし軸棒２４をカバー２６に保持させる場合は、穴２２ｂを設けず、軸棒２４の下端を単に皿部２２に当接させるだけでもよい。軸棒２４とカバー２６を一体に皿部２２に対して着脱自在とすることにより、皿部２２の上の泡体Ｆを容易にすくい取ることができ、皿部２２の洗浄が容易である。
【００２５】
この実施形態では、カバー２６と軸棒２４は、皿部２２を押し下げるための押部として作用する。ただしカバー２６を設けず、軸棒２４の上端、結合部材２６ａあるいは摘み２６ｂを押し下げることもできる。皿部２２を押し下げるようにしてもよい。コア２１、皿部２２およびスカート２３は、前述のスタンド１１と同様に、ポリブチレンテレフタレートなどのポリエステル、ポリアセタールなどのポリカーボネート、ナイロンなどのポリアミドなどの硬質の合成樹脂の成形品を使用することができる。軸棒２４は合成樹脂、エラストマー、金属製の棒ないしパイプが用いられる。軸棒２４の表面は、泡が付着しやすいように粗面にすることもできるが、通常は付着した泡が離れやすいように平滑にする。
【００２６】
図３Ａおよび図３Ｂに示すように、皿部２２の上面（吐出面）２２ａには４個の吐出孔２７が周方向均等に設けられている。この実施形態では、吐出孔２７は吐出面の中心の穴２２ｂから半径方向に延びており、それらが放射状に配列されている。吐出孔２７は複数個、たとえば２〜６個程度の吐出孔２７を周方向に均等に設けると、軸棒２４に絡み付きながら螺旋状に重なった状態で得られる泡体の形状が安定する。この実施形態では吐出孔２７は三日月状を呈しており、平面視では風車のように同じ旋回方向を向いている。すなわち、吐出孔２７は凸曲線２７ａと、凹曲線２７ｂとからなり、すべての吐出孔２７が同じ回転方向を向いている。吐出孔２７は矩形、三角形、２本の凸曲線からなる舟形、円形など、他の形状とすることもできる。なお、穴２２ｂとそれぞれの吐出孔２７の内側は連通していてもよく、その場合、吐出物は穴２２ｂに差し込んだ軸棒２４に絡み付きやすくなる。
【００２７】
図３Ｂおよび空胴部を実体化して示す図４Ａ、図４Ｂから分かるように、吐出孔２７は螺旋状の通路２８の上端の開口であり、通路２８の下端はコア２１の下部の中心に形成される中央通路２９と縦長の開口３０で連通している。螺旋状の通路２８は、扁平な螺旋状の羽根ないしスクリューの形態を呈する。螺旋状の通路２８の半径方向外側の端部は、図４Ａ、図４Ｂの螺旋状の線３１で示すように、中央通路２９の縦長の開口３０の下端から半径方向外側に拡がりながら、６０〜１２０度程度の旋回角度で反時計方向に旋回するように上方向に延びている。そしてコア２１から皿部２２を通り、吐出孔２７の外側の端部２８ａへ到る。なお、図３Ａは上から見ているので、螺旋状の線（破線）３１は時計方向に旋回しながら下向きに延びている。
【００２８】
螺旋状の通路２８の半径方向内側の端部は、図４Ａのネジ状の螺旋状の線３２で示すように、中央通路２９の開口３０の上端からほぼ中央通路２９に周囲に沿って反時計方向に旋回しながら上昇し、皿部２２の上面で開口する吐出孔２７の内側の端部２８ｂに到る。螺旋状の線３２は途中で半径方向に広がった後、再び中心方向へと向かうようにしてもよい。なお、中央通路２９の開口３０の下端から吐出孔２７の外側の端部２８ａまでの螺旋状の線３１と、中央通路２９の開口３０の上端から吐出孔２７の内側の端部２８ｂまでの螺旋状の線３２との長さや旋回角度を調整することにより、細長い吐出孔２７の内側から外側にかけて吐出物（泡体Ｆ）の速さを調整することができ、軸棒２４への絡み具合を調整して吐出物の形状を調整することができる。
【００２９】
なお、図３Ｃに示すように、吐出孔２７を構成する上面２７ｃと下面２７ｄは、皿部２２の上面２２ａに対し、螺旋の延長の向きに約３０〜６０度程度傾斜している。そのため、吐出孔２７から出てくる泡体Ｆの吐出の向きが特定され、軸棒２４への付着と相まって皿部２２の上で反時計方向に旋回しながら積層される。このように吐出孔２７を構成する開口内周面の上面２７ｃおよび下面２７ｄは、泡体Ｆの吐出方向を制御する一対の側面を構成している。開口内周面は、中心側に向かって５〜３０度程度傾斜していてもよい。そのほうが吐出された泡体が軸棒２４に付着しやすい。
【００３０】
上記のようにコア２１内では１本のステム装着部２１ａから４本の通路２８に分岐しており、そのため、コア２１は分岐通路を設けた通路部材として作用する。このような分岐通路を設ける場合は、ステム１３から吐出孔２７までの通路２８の容積を小さくすることができ、内容物の残量を少なくすることができる。螺旋状の通路２８を形成するには、たとえばコア２１を通路２８の部位で上下に分離した状態で成形し、その後、それらを組み合わせばよい。隣接する通路２８で放射方向の湾曲面で四分の一のブロック片に分離してもよい。通路は、分離した上下あるいは４個のブロック片の合わせ面に通路となるべき溝を形成しておく。それにより上下あるいは４個のブロック片を組み合わせたときに通路が形成される。
【００３１】
上記のごとく構成される吐出製品１０は、軸棒２４あるいはカバー２６を下に押し込むと、エアゾール製品１２のステム１３が押し下げられ、エアゾールバルブ１９が開く。それによりステム１３から内容物が吐出され、ステム装着部２１ａ、中央通路２９、縦長の開口３０、螺旋状の通路２８を通って旋回力が加えられながら進み、皿部２２の上面の三日月型の吐出孔２７から押し出される（図３Ａの矢印Ｐ参照）。押し出された直後の泡体Ｆは、吐出孔２７の形状に対応した三日月型の断面形状を有する扁平な形態を呈する。そして泡体Ｆは螺旋状の線が短く螺旋角度が大きい内側の端部２８ｂ側から先に吐出され、皿部２２の上面に対して所定の角度で斜めに押し出され、内側の端部が軸棒２４に接触する。泡体Ｆには螺旋状の通路２８により旋回力が加えられているため、泡体Ｆは軸棒２４に絡み付きながら旋回する。
【００３２】
そして先に出ている泡体Ｆは、次々と下方から新たに斜め向きに吐出されてくる泡体Ｆによって、反時計方向に旋回しながら押し上げられる。そのため、吐出孔２７から吐出される泡体Ｆは、図１の想像線のように軸棒２４の周囲に付着しながら螺旋巻き状態で上昇し、ソフトクリーム状の形態を呈する。このとき、新たに吐出される泡体Ｆの上面が凸面となっているので、元の泡体の下に入り込みやすい。
【００３３】
軸棒２４またはカバー２６を押し下げるのをやめると、泡体Ｆの吐出が止まる。洗顔剤などの場合は、使用者は軸棒２４とカバー２６を取り外し、皿部２２から泡体Ｆをすくいとればよい。軸棒２４を取り外しても、泡体Ｆのソフトクリームのような立体形状は維持される。このように使用者は、螺旋状に押し出され、積み重なっていく泡体の動きのおもしろさを感じることができる。とくに子供に手洗いを促すのに役立つ。
【００３４】
消臭・芳香剤などのように、空間に有効成分が蒸散される内容物の場合は、皿部２２の上にそのまま放置しておく。それにより上下に積み重なった泡体Ｆはそのまま蒸散されていく。その場合、４層で上下に積み重なり、しかも螺旋状に積み上がった立体的な泡体Ｆは表面積が広いため、蒸散作用が効率的に行われる。カバー２６の高さが調節自在である場合は、カバー２６の下端と皿部２２の上面の隙間の大きさを調節することにより、蒸散速度を調節することができる。
【００３５】
図５Ａに示す吐出製品４０は、本体４１と、その本体４１から分離したブラシ４２とから構成されており、図１の吐出製品１０におけるスタンド１１やカバー２６は備えていない。ブラシ４２は使用者が手に持ち、染毛剤を髪の生え際などに塗布するために用いるもので、使用するときだけ本体４１と一緒に用いればよく、常時本体４１に装着させる必要はない。ブラシ４２は軸棒２４と、その下端に植毛されているブラシ毛４３と、上端に設けられる握り４４とからなる。この実施形態では図５Ｂに示すように、どの向きでもブラシ４２を使用できるように、ブラシ毛４３は円筒状に配列され、握り４４は円筒状である。軸棒２４の先端にはブラシ毛を設けていない挿入部４５が設けられている。
【００３６】
本体４１は、エアゾール容器１２と、その上端のステムに装着した押しボタンを兼ねるコア２１と、コア２１の上下動をガイドするガイド部を備えた肩カバー４６とからなる。図５Ｂに示すように、コア２１の上面が吐出面２２ａとされており、図１の実施形態と同様の吐出孔２７が形成されている。吐出面２２ａの中央にはブラシ４２の先端の挿入部４５を挿入できる穴２２ｂが形成されている。挿入部４５と穴２２ｂは、手で保持したブラシ４２の位置決めのために設けており、図１の実施形態のように軸棒２４を常時保持する必要はない。ただし保持させてもよい。
【００３７】
この吐出製品４０を使用する場合、使用者はブラシ４２の握り４４を握り、挿入部４５を穴２２ｂに挿入してブラシ４２でコア２１を押し下げる。それにより図１の吐出製品１０と同様に、吐出孔２７から泡体を吐出させ、軸棒２４の周囲、とくにブラシ毛４３の周囲に泡体を螺旋状に付着させることができる。所望の泡体が得られたとき、押し下げる操作をやめて、ブラシ毛４３に付着している染毛剤などの泡体を髪の付け根などに塗布する。ブラシ毛４３の毛質や長さは、エアゾール製品１２の内容物や塗布位置などにより、適切なものを選択する。
【００３８】
この実施形態ではエアゾール容器１２の上端に肩カバー４６を固定している。肩カバー４６の上部内面は、コア２１の上下運動のガイドであり、エアゾール容器１２のマウンティングカップ１９ａの周囲またはビード１８ｃに固定している（図１参照）。肩カバー４６には、オーバーキャップ（図示していない）を着脱自在に装着するための段部４７が設けられている。コア２１は着脱容易に取り付けるのが好ましく、それによりコア２１の清掃が容易になる。
【００３９】
以上、本発明の代表的な実施形態を説明したが、本発明はこれらに限定されるものではなく、発明の趣旨の範囲で解釈されるべきである。たとえば前記実施形態では発泡性の内容物を吐出して皿部２２の上面に泡体Ｆを形成しているが、クリーム状の内容物を吐出するようにしてもよい。また、前記実施形態では、ステム装着部２１ａから吐出孔２７まで内容物を導く通路２８が分岐通路として設けているが、コア２１とは別体の通路部材を設け、その通路部材にステムから複数の吐出孔に連通する分岐通路を設けてもよい。
【００４０】
また、軸棒２４はパイプなどで構成することもできる。さらに軸棒２４を複数本設けてもよい。また、吐出容器としてエアゾール容器１２を採用しているが、ポンプ作用で内容物を吐出する吐出容器であってもよい。前記実施形態では、エアゾール製品から１種類の内容物が分岐されて４つの吐出孔から吐出している。しかし二重のステムあるいは２本のステムから２種類の内容物を吐出する２液タイプのエアゾール製品を採用し、中央通路２９に代えて、ステムの吐出口に対応する通路を備えたコアを採用して、２種類の吐出物を積層状態で吐出する吐出製品とすることもできる。その場合は内容物同士を混合しやすい。
【符号の説明】
【００４１】
１０  吐出製品
１１  スタンド
１２  エアゾール容器
１３  ステム
１４  吐出部材
１５  周壁
１５ａ  周壁の支持壁より上側の部分
１６  支持壁
１７  リブ
１８  容器本体
１８ａ  底部
１８ｂ  胴部
１８ｃ  ビード
１９  エアゾールバルブ
１９ａ  マウンティングカップ
１９ｂ  バルブハウジング
２１  コア
２１ａ  ステム装着部
２２  皿部
２２ａ  皿部の上面（吐出面）
２２ｂ  穴
２３  スカート
２４  軸棒
２５  リブ
２６  カバー
２６ａ  結合部材（押し部）
２６ｂ  摘み
２７  吐出孔
Ｆ  泡体
２７ａ  凸曲線
２７ｂ  凹曲線
２７ｃ  上面
２７ｄ  下面
２８  （螺旋状の）通路
２８ａ  吐出孔の外側の端部
２８ｂ  吐出孔の内側の端部
２９  中央通路
３０  縦長の開口
３１  螺旋状の線
３２  螺旋状の線
４０  吐出製品
４１  本体
４２  ブラシ
４３  ブラシ毛
４４  握り
４５  挿入部
４６  肩カバー
４７  段部
【図１】
2019210015.tif 000003
【図２】
2019210015.tif 000004
【図３】
2019210015.tif 000005
【図４】
2019210015.tif 000006
【図５】
2019210015.tif 000007